(57)【要約】【課題】この発明は、軒先裏側に位置する外壁面に固定され外気を軒裏側へと導く換気部材と軒天材支持金具からなる軒裏の換気構造に関する。【解決手段】本発明の軒裏の換気構造１は、前記軒天材支持金具９の固定部８が、前記軒天材７の他端側が挿入される凹部１０を形成し、且つ、該軒天材７の表面を当接支持する角部Ｅと、前記軒天材７の裏面を当接支持する先端部Ｏとを有し、前記角部Ｅと前記先端部Ｏの高さ方向の垂直間隔Ｕが軒天材の厚さＴと略同等であり、且つ、前記角部Ｅが前記先端部Ｏより軒先２側に位置すると共に、前記角部Ｅと前記先端部Ｏを結ぶ線Ｌと水平線Ｈとが外壁３側に成す角αが１００°≦α≦１２０°となっている。【選択図】図１
2008101395.tif 000002
【特許請求の範囲】
【請求項１】
建造物の軒先裏側に位置する外壁に固定されて外気を軒裏内部へと導く通気孔を形成し、且つ、略コの字型の取付部を有する長尺な換気部材と、
該換気部材の取付部に嵌合され、且つ、軒先側に一端側を固定された軒天材の他端側を固定する固定部を有する軒天材支持金具とを具備する軒裏の換気構造において、
前記軒天材支持金具の固定部が、
前記軒天材の他端側が挿入される凹部を形成し、且つ、該軒天材の表面を当接支持する角部と、前記軒天材の裏面を当接支持する先端部とを有し、
前記角部と前記先端部の高さ方向の垂直間隔が軒天材の厚さと略同等であり、且つ、前記角部が前記先端部より軒先側に位置すると共に、
前記角部と前記先端部を結ぶ線と水平線とが外壁側に成す角αが１００°≦α≦１２０°であることを特徴とする軒裏の換気構造。
【請求項２】
前記軒天材支持金具が、前記外壁を建造物内部で支持する胴縁が設けられた箇所に取付けられることを特徴とする請求項１記載の軒裏の換気構造。
【発明の詳細な説明】
【技術分野】
【０００１】
この発明は、軒先裏側に位置する外壁面に固定され外気を軒裏側へと導く換気部材と軒天材支持金具からなる軒裏の換気構造に関する。
【背景技術】
【０００２】
従来、建造物の軒裏部に形成される空間部分においては、日本の気候風土上、夏季には前記空間部分の温度が高温となることから、その周辺を構成する木材の含水率が極端に低下することにより該木材の耐久性をも低下させ、また、冬季には前記空間部分に結露が発生し、その周辺を構成する木材及び金属製の金具等を腐食させるという問題が生じていた。
【０００３】
これらの問題を解決すべく、図１０に示すような、軒先裏側に取付けられる軒天材１０１を外壁１０２側において支持固定する軒天材支持金具１０３と、該軒天材支持金具１０３を建造物の外壁１０２に固定する取付金具１０４から構成される軒裏換気構造１０５であって、軒天材支持金具１０３が、建物の外壁１０２側に取付ける側面板部１０６と、その上端から張り出す上面板部１０７、及び下面板部１０８とを有する略コの字型の軒天材支持部１０９を具備し、取付金具１０４が、軒天材支持金具１０３の側面板部１０６に当接される当接板部１１０と、その上端から後方斜め上向きに張り出す傾斜板１１１と、その上端から垂直方向に張り出し外壁１０２に固定される固定板部１１２と、当接板部１１０の下方に形成された案内板１１３とを具備すると共に、図１０に示すように、外壁１０２に取付けられた取付金具１０４に軒天材支持金具１０３が装着されてなる軒裏換気構造１０５が考案されている。（例えば特許文献１）。
【０００４】
【特許文献１】特開２０００−２０４７０９号公報
【発明の開示】
【発明が解決しようとする課題】
【０００５】
しかし、上述したような従来の軒天材を支持するための軒天材支持金具は、該軒天材を支持する際に、例えば図１０に示すように水平方向等の一定の方向にしか支持することができない。そのため、軒天材に勾配を設ける際には別の構造の支持金具が必要となり、あらゆる角度に対応した支持金具を作成しなければならないため、施工工程が煩雑となる。また、施工誤差にも対応が困難であり、軒天材の勾配にあわせて作成した支持金具であっても、実際に使用する際にうまく軒天材を該支持金具に取付けることができない等の問題が生じる可能性がある。
【０００６】
この発明は上記のような種々の課題を解決することを目的としてなされたものであって、建造物の軒裏部分の換気を促し、軒先裏側に取付けられた軒天材の勾配に依存することなく該軒天材を外壁面に固定することのできる軒裏の換気構造に関する。
【課題を解決するための手段】
【０００７】
上記目的を達成するために、請求項１記載の軒裏の換気構造は、建造物の軒先裏側に位置する外壁に固定されて外気を軒裏内部へと導く通気孔を形成し、且つ、略コの字型の取付部を有する長尺な換気部材と、該換気部材の取付部に嵌合され、且つ、軒先側に一端側を固定された軒天材の他端側を固定する固定部を有する軒天材支持金具とを具備する軒裏の換気構造において、前記軒天材支持金具の固定部が、前記軒天材の他端側が挿入される凹部を形成し、且つ、該軒天材の表面を当接支持する角部と、前記軒天材の裏面を当接支持する先端部とを有し、前記角部と前記先端部の高さ方向の垂直間隔が軒天材の厚さと略同等であり、且つ、前記角部が前記先端部より軒先側に位置すると共に、前記角部と前記先端部を結ぶ線と水平線とが外壁側に成す角αが１００°≦α≦１２０°であることを特徴としている。
【０００８】
請求項２記載の軒裏の換気構造は、前記軒天材支持金具が、前記外壁を建造物内部で支持する胴縁が設けられた箇所に取付けられることを特徴としている。
【発明の効果】
【０００９】
請求項１記載の軒裏の換気構造は、前記軒天材支持金具の固定部が、前記軒天材の他端側が挿入される凹部を形成し、且つ、該軒天材の表面を当接支持する角部と、前記軒天材の裏面を当接支持する先端部とを有し、前記角部と前記先端部の高さ方向の垂直間隔が軒天材の厚さと略同等であり、且つ、前記角部が前記先端部より軒先側に位置すると共に、前記角部と前記先端部を結ぶ線と水平線とが成す角αが１００°≦α≦１２０°である。これにより、軒天材を外壁側に固定する際には、軒天材支持金具や軒天材の施工誤差が生じたとしても対応することができ、さらに、該軒天材の勾配に依存することなく同一の軒天材支持金具を使用することができ施工効率が向上する。
【００１０】
請求項２記載の軒裏の換気構造は、前記軒天材支持金具が、前記外壁を建造物内部で支持する胴縁が設けられた箇所に取付けられている。これにより、軒天材を外壁に取付けた際には、外壁に応力が作用するが、軒天材支持金具が胴縁の設けられた箇所に取付けられることによって、前記応力を胴縁と外壁によって軒天材を支持することができるので、外壁が破損する等の問題が生じることなく、また、該軒天材を強固に外壁に取付けることができる。
【発明を実施するための最良の形態】
【００１１】
この発明における軒裏の換気構造の最良の実施形態について、以下図１及び図６に基づいて説明する。この実施形態の軒裏の換気構造１は、建造物の軒先２裏側に位置する外壁３に固定されて外気を軒裏内部へと導く通気孔４を形成し、且つ、略コの字型の取付部５を有する長尺な換気部材６と、該換気部材６の取付部５に嵌合され、且つ、軒先２側に一端側を固定された軒天材７の他端側を固定する固定部８を有する軒天材支持金具９とを具備する軒裏の換気構造１において、前記軒天材支持金具９の固定部８が、前記軒天材７の他端側が挿入される凹部１０を形成し、且つ、図６に示すように、該軒天材７の表面を当接支持する角部Ｅと、前記軒天材７の裏面を当接支持する先端部Ｏとを有し、前記角部Ｅと前記先端部Ｏの高さ方向の垂直間隔Ｕが軒天材の厚さＴと略同等であり、且つ、前記角部Ｅが前記先端部Ｏより軒先２側に位置すると共に、前記角部Ｅと前記先端部Ｏを結ぶ線Ｌと水平線Ｈとが外壁３側に成す角αが１００°≦α≦１２０°となっている。
【００１２】
そして、必要に応じて図４に示すように、前記軒天材支持金具９が、前記外壁３を建造物内部で支持する胴縁１１が設けられた箇所に取付けられている。
【００１３】
前記建造物の軒先２は、本発明の実施形態においては、図１に示すように、屋根の頂部に横架された棟木（不図示）から、該棟木と略垂直方向に所定の勾配を付けて設けられた垂木１２と、該垂木１２の上方に敷設された屋根板１３と、該垂木１２を下方から支持し外壁３の頂部であって軒下に横架される軒桁１４と、該軒桁１４を支持する柱１５やその下方に設けられた土台（不図示）に取付けられた胴縁１１の外側にさらに外壁３が取付けられ、垂木１２の先端部分には略鉛直方向に鼻隠し材１６が設けられている。
【００１４】
そして、図１に示すように、鼻隠し材１６の下端部に一端側が固定され他端側が換気部材６を介して外壁３に取付けられた軒天材支持金具９によって当接支持されるようにして、軒先２が形成されている。しかし、これらの軒先２の構造は、本発明の実施形態の構造に限定されるものではなく適宜各部材の角度や配置等の構造を変更することができる。
【００１５】
前記換気部材６は、図３に示すように、建造物の軒先２裏側に位置する外壁３に固定されて外気を軒裏内部へと導く通気孔４が形成され、且つ、略コの字型の取付部５を有し長尺に形成されてなるものである。そして、本発明の実施形態においては、図５に示すように、換気部材６は、該換気部材６本体を外壁３に取付けるための外壁固定部１７を具備し、該外壁固定部１７を図３に示すように、外壁３に当接させ軒天材支持金具９と共にネジ等の固定金具１８により該外壁３に取付けられるのである。そして、外壁固定部１７には予めネジ穴が設けられていてもよく、また、外壁３への取付け方法も本発明の実施形態のように軒天材支持金具９を設置する箇所だけでなく、その他の場所において外壁３に固定してもよい。
【００１６】
また、図５に示すように、外壁固定部１７からその下方に連続し、軒先２側に凸部が形成されるように略コの字型に形成された取付部５を具備している。そして、該取付部５を形成する垂直部１９と下方水平部２０には、建造物の外側の外気を軒裏内部へと導くために、例えば、略楕円形状の通気孔４が幅方向に渡って形成されている。
【００１７】
さらに、図３に示すように、取付部５からその下方に連続し、軒先２側に凹部が形成されるように略コの字型に形成され、前記軒天材支持金具９の固定部８を内包するように内包部２１が形成されている。また、内包部２１の下面部の軒先２側には、該下面部から若干上方に傾斜するように傾斜部２２が形成されるため、軒天材支持金具９の固定部８と内包部２１との間に隙間が生じにくいように該固定部８を内包できるのである。
【００１８】
そして、図３に示すように形成された換気部材６は、軒先２裏側に取付けられるため、軒先２部分の施工後には外観は、図１や図２に示すように、該喚起部材６の片面側しか目視することができない。そのため、施工後に外から目視できるその片面側には建造物の他の外観と調和するように、例えば、木目調やメタリック調等の色彩を施してあることが、建造物全体の意匠性の観点から好ましい。
【００１９】
以上のように構成される換気部材６は、図５に示す、本発明の実施形態のような形状に限定されるものではなく、全体の形状、及び各面の大きさ、勾配、通気孔４の形状及び大きさ等は、軒先２部分を形成する他の部材の形状に応じて適宜変更することができる。
【００２０】
前記軒天材支持金具９は、図５に示すように、換気部材６の取付部５に嵌合され、且つ、軒先２側に一端側を固定された軒天材７の他端側を固定する固定部８を有している。そして、本発明の実施形態においては、図８に示すように、軒天材支持金具９本体を換気部材６を介して外壁３に取付けるための固定片２３を具備し、該固定片２３には適宜ネジ穴２４が設けられている。
【００２１】
また、図８に示すように、固定片２３からその下方に連続し、軒先２側に凸部が形成されるように略コの字型に形成された嵌合部２５を具備している。また、嵌合部２５は、換気部材６の取付部５よりも若干大きく形成されているため、図５に示すように、換気部材６に軒天材支持金具９を装着する際には、煩雑な位置合わせを必要とすることがなく、また、ネジ等の固定金具１８でこれらを外壁３に取付ける際に、嵌合させた軒天材支持金具９を作業者が手で支えずとも作業を行うことができるため、施工効率を向上することができる。
【００２２】
そして、それらを外壁３に取付ける際には、図４に示すように、建造物内部において外壁３を取付けるための胴縁１１に取付けられることが好ましい。このようにすることで、軒天材７を外壁３に取付けた際には、外壁３に応力が作用するが、軒天材支持金具９が胴縁１１の設けられた箇所に取付けられることによって、前記応力を胴縁１１と外壁３によって軒天材７を支持することができるので、外壁３が破損する等の問題が生じることなく、また、該軒天材７を強固に外壁３に取付けることができる。
【００２３】
そして、図８に示すように、嵌合部２５からその下方に連続し、前記軒天材７の他端側が挿入される凹部１０を軒先２側に形成する固定部８を具備している。さらに固定部８は、図６に示すように、該軒天材７の表面を当接支持する角部Ｅと、前記軒天材７の裏面を当接支持する先端部Ｏとを有している。また、前記角部Ｅと前記先端部Ｏの高さ方向の垂直間隔Ｕが、軒天材７の厚さＴと略同等であることから、汎用的に使用される図１に示すような、軒天材７が水平に設けられるような構造の軒先２に常に対応することができる。
【００２４】
また、前記角部Ｅが前記先端部Ｏより軒先２側に位置すると共に、前記角部Ｅと前記先端部Ｏを結ぶ線Ｌと水平線Ｈとが外壁３側に成す角αが１００°≦α≦１２０°となっている。ここで、例えば、α＝１００°で、軒天材７の厚さＴがＴ＝１２mmである場合には、図６に示すように、状態Ａの軒天材７を先端部Ｏを中心に矢印Ｓ方向に回転させ状態Ｂとする際には、状態Ａの軒天材７表面の点Ｑはその中心をＯとする円Ｃ上を反時計回りに移動し、状態Ｂの軒天材７表面の点Ｐ（角部E）に到達する。また、先端部Ｏから状態Ｂの軒天材７表面へ垂線Ｒを引く。このようにすることで、α＝１００°であり、また、水平線Ｈと垂線Ｒが外壁３側に成す角βがβ＝９０°であることを考慮すると、線Ｌと垂線Ｒが角α内に成す角γはγ＝１０°であることがわかる。さらに三角形POQにおいて角POQを角δとすると、垂線Ｒは角δの二等分線であることから、２γ＝δの関係が成り立つ。
【００２５】
以上の結果を考慮すると、角α〜δの関係は、α−β＝γ＝δ／２（ただし、β＝９０°、α＞９０°）となる。そのため、角δ、すなわち軒天材７が回転することのできる角度は２０°ということになる。また、同様にして、例えば、α＝１１０°で軒天材７の厚さＴがＴ＝１２mmである場合には、角δ、すなわち軒天材７が回転することのできる角度は４０°ということになる。さらに、例えば、α＝１２０°で軒天材７の厚さＴがＴ＝１２mmである場合には、角δ、すなわち軒天材７が回転することのできる角度は６０°ということになる。
【００２６】
これにより、角αを１００°≦α≦１２０°とすることで、軒天材７が回転することのできる角度、すなわち角δは、２０°≦δ≦６０°となり、先端部Ｏを中心としてこれらの範囲内で自由に軒天材７の角度を変えることができる。また、角α〜δの関係は、軒天材７の厚さＴのパラメータを含んでいないことから、該軒天材７の厚さＴに依存せず、すなわち、例に挙げたようなＴ＝１２mmの場合に限定されることなく成立する。
【００２７】
しかし、角δが、δ＝２０°（α＝１００°）よりも小さくなると、軒天材７が回転することのできる範囲が小さくなるため、対応性に乏しくなるため好ましくない。また、図６に示す軒天材７の状態Ａと状態Ｂの中間の状態、ずなわち図７に示すように、固定部８が該軒天材７を当接支持する際には、角部Eと軒天材７の表面には極僅かに隙間Ｇが生じる。
【００２８】
そして、隙間Ｇは、軒天材７が線Ｌと直交する時に最大となることを考慮すると、図７より、線Ｌと軒天材７の厚さＴ、及び角αの関係は、Ｌ＝Ｔ／cos（α−９０°）（ただし、α＞９０°）となる。また、線Ｌと軒天材７の厚さＴ、及び隙間Ｇの関係は、Ｇ＝Ｌ−Ｔであるので、Ｇ＝Ｔ｛１／cos（α−９０°）−１｝となる。そのため、例えば上述の条件と同様に、軒天材７の厚さＴがＴ＝１２mmで、α＝１２０°の場合には、隙間ＧはＧ≒２ｍｍとなり、この程度の隙間であれば、軒天材７や固定部８の形状誤差等を考慮すると該隙間Ｇは許容範囲内である。しかし、角δが、δ＝６０°（α＝１２０°）よりも大きくなるにつれて、隙間Ｇが大きくなるため、固定部８が軒天材７を当接支持する際にガタつきが生じ好ましくない。
【００２９】
また、角αは、１０５°≦α≦１１７°とした場合には、隙間Ｇがより小さくなるためより好ましく、さらに、１１０°≦α≦１１５°とした場合には、隙間Ｇがさらに小さくなるため最も好ましい。
【００３０】
また、軒天材支持金具９は、図８に示す固定部８を、図９に示すように、凹部１０の形状を円弧状としてもよく、このようにしても図８に示す軒天材支持金具と同様の効果を得ることができる。しかし、隙間Ｇは、軒天材７の厚さＴと線形関係にあるため、角αの値は、本発明の実施形態の範囲に限定されるものではなく、軒天材７が回転することのできる角度、すなわち角δや、軒天材７に使用される、例えば厚さＴ＝６ｍｍ、１２ｍｍ、１５ｍｍ等の該軒天材７の厚さＴの値等に応じて適宜変更することも可能である。
【００３１】
以上のように構成される軒裏の換気構造１の施工方法及び換気経路について以下に述べる。
【００３２】
上述したように構成される建造物の軒先２に、換気部材６、軒天材支持金具９、軒天材７を取付ける際には、まず、図５に示すように、換気部材６を外壁３に取付ける。その際には、例えばテープ等で仮止めした後に、軒天材支持金具９と共にネジ等の固定手段で外壁３に固定してもよいが、先にネジ等の固定手段により外壁３に固定しておいてもよい。そして、次に軒天材支持金具９の取付部５に、換気部材６の嵌合部２５を嵌合させ、換気部材６に該軒天材支持金具９を取付ける。そして、外壁固定部１７や固定片２３に適宜設けられたネジ穴２４を利用して、ネジ等の固定金具１８により軒天材支持金具９と換気部材６を一体化するようにして、外壁３にそれらを取付ける。
【００３３】
そして、軒天材７の他端側が軒天材支持金具９の固定部８に挿入されることで、該軒天材７の他端側が当接支持される。その際には、施工計画に基づいて、図２に示すように、先端部Ｏを中心として軒天材７を回転させ、適宜軒天材７に勾配を設けることができる。この場合にも、その勾配に応じて別部材を用いる必要がなく、同一の部材を使用することができるため、施工性が向上すると共に経済的にも優れている。そして、軒天材７の一端側を鼻隠し材１６に取付けられた、取付片２６を介して該鼻隠し材１６に固定するのである。
【００３４】
そして、上述したように、軒天材支持金具９や換気部材６の幅方向の長さ等の形状は本発明の実施形態に限定されるものではなく、例えば、軒天材支持金具９を換気部材６のように長尺に形成してもよく、また、換気部材６が軒天材支持金具９と一体化され幅方向に長尺に形成されていてもよい。
【００３５】
以上のように施工された軒裏の換気構造１は、図３に示すように、矢印Ｗの経路で建造物の外部から軒裏の内部へ外気を取入れるのである。その際には、通気孔４が垂直部１９と下方水平部２０に設けられているため、建造物の外部から軒裏の内部までの距離が長くなり、台風等の横風を伴う雨の際にも軒裏の内部へ雨水が浸入することがない。そして、軒裏の内部から建造物の外部へ空気が移動する際には、図３に示す矢印Ｗと反対の経路を通ることで、軒裏の換気が行われるのである。
【産業上の利用可能性】
【００３６】
この発明の軒裏の換気構造１において使用される軒天材支持金具９の固定部８の構造は、本発明の実施形態のように軒天材７を支持するだけではなく、建造物の施工過程における、その他の場所にも利用することができる。
【図面の簡単な説明】
【００３７】
【図１】水平軒天材を使用する軒裏の換気構造の実施形態を示す断面図
【図２】傾斜軒天材を使用する軒裏の換気構造の実施形態を示す断面図
【図３】軒裏の換気構造の実施形態を示す拡大断面図
【図４】軒裏の換気構造の外壁への取付状態を示す図
【図５】換気部材への軒天材支持金具の取付状態を示す斜視図
【図６】軒天材の勾配の変化状態を示す図
【図７】軒天材と角部との間隔を示す図
【図８】軒天材支持金具の実施形態を示す全体斜視図
【図９】軒天材支持金具の他の実施形態を示す全体斜視図
【図１０】従来の軒裏の換気構造を示す断面図
【符号の説明】
【００３８】
１      軒裏の換気構造
２      軒先
３      外壁
４      通気孔
５      取付部
６      換気部材
７      軒天材
８      固定部
９      軒天材支持金具
Ｅ      角部
Ｏ      先端部
Ｕ      垂直間隔
Ｔ      厚さ
Ｌ      線
Ｈ      水平線
【図１】
2008101395.tif 000003
【図２】
2008101395.tif 000004
【図３】
2008101395.tif 000005
【図４】
2008101395.tif 000006
【図５】
2008101395.tif 000007
【図６】
2008101395.tif 000008
【図７】
2008101395.tif 000009
【図８】
2008101395.tif 000010
【図９】
2008101395.tif 000011
【図１０】
2008101395.tif 000012